(57)【要約】【課題】構成部品が異なる種々のアセンブリ図面を低コストで作成する。【解決手段】部品番号記憶手段１３に記憶された各々の部品の部品番号に対応する部品の基本図面を予め基本図面記憶手段１４に記憶しておき、アセンブリを構成する複数の部品の部品番号をアセンブリ構成情報入力手段１６から入力してアセンブリ構成情報記憶手段２１に記憶し、アセンブリ構成情報記憶手段２１に記憶された複数の部品の部品番号に対応する基本図面を基本図面取得手段２４が基本図面記憶手段１４から取得すると、アセンブリ図面変換手段２８が前記取得した基本図面をアセンブリ図面に変換し、アセンブリ図面記憶手段２９に記憶して出力手段１８に出力する。従って、各ユーザーはアセンブリを構成する複数の部品の部品番号を入力するだけで、必用とするアセンブリ図面を得ることができる。【選択図】      図１
2004302568.tif 000002
【特許請求の範囲】
【請求項１】
各々の部品の部品番号を記憶した部品番号記憶手段（１３）と、
部品番号記憶手段（１３）に記憶された部品番号に対応する部品の基本図面を記憶した基本図面記憶手段（１４）と、
アセンブリを構成する部品の部品番号を入力するアセンブリ構成情報入力手段（１６）と、
アセンブリ構成情報入力手段（１６）から入力された部品の部品番号を記憶するアセンブリ構成情報記憶手段（２１）と、
アセンブリ構成情報記憶手段（２１）に記憶された部品の部品番号に対応する基本図面を基本図面記憶手段（１４）から取得する基本図面取得手段（２４）と、
基本図面取得手段（２４）で取得した基本図面をアセンブリ図面に変換するアセンブリ図面変換手段（２８）と、
アセンブリ図面変換手段（２８）により変換されたアセンブリ図面を記憶するアセンブリ図面記憶手段（２９）と、
アセンブリ図面記憶手段（２９）に記憶されたアセンブリ図面を出力する出力手段（１８）と、
を備えたことを特徴とする図面管理システム。
【請求項２】
アセンブリ構成情報入力手段（１６）は、アセンブリを構成する部品の部品番号を部門情報あるいは工程情報に基づいて入力することを特徴とする、請求項１に記載の図面管理システム。
【請求項３】
基本図面の変更情報を記憶する変更情報記憶手段（２６）と、
変更情報記憶手段（２６）に記憶された基本図面の変更情報に基づいて、基本図面取得手段（２４）が基本図面記憶手段（１４）から取得する基本図面の差し替えの要否を判断する差し替え要否判断手段（２７）と、
を備えたことを特徴とする、請求項１または請求項２に記載の図面管理システム。
【請求項４】
アセンブリを構成する部品に対応する図面差し替え要件を入力する図面差し替え要件入力手段（１７）と、
図面差し替え要件入力手段（１７）から入力された図面差し替え要件を記憶する図面差し替え要件記憶手段（２２）と、
を備え、
前記差し替え要否判断手段（２７）は、図面差し替え要件記憶手段（２２）に記憶された図面差し替え要件と、変更情報記憶手段（２６）に記憶された基本図面の変更情報とを比較することで、基本図面取得手段（２４）が基本図面記憶手段（１４）から取得する基本図面の差し替えの要否を判断することを特徴とする、請求項３に記載の図面管理システム。
【請求項５】
図面差し替え要件は、部品の形状、材料および重量の少なくとも一つであることを特徴とする、請求項４に記載の図面管理システム。
【発明の詳細な説明】
【０００１】
【発明の属する技術分野】
本発明は、複数の部品を組み立てて構成されるアセンブリの図面を、多数の部品の図面のうちから前記複数の部品の図面を選択して作成するための図面管理システムに関する。
【０００２】
【従来の技術】
コンピュータ上の仮想三次元空間にて設計された対象物についての作業の作業性をチェックするシミュレーション装置が、下記特許文献により公知である。
【０００３】
このシミュレーション装置は、複数の部品を組み立てて構成されるアセンブリを三次元ＣＡＤシステムで設計する際に、個々に設計された多数の部品の三次元図面を予め標準部品ライブラリに蓄積しておき、その標準部品ライブラリから必用な部品の三次元図面を選択して所定の位置関係で組み合わせることで、アセンブリの三次元図面を作成するようになっている。
【０００４】
【特許文献】
特開平１１−２７２３１４号公報
【０００５】
【発明が解決しようとする課題】
ところで、多数の部品の図面のうちから必用な部品の図面を選択してアセンブリの図面を作成する場合、その図面を作成するユーザーによってアセンブリの構成部品が変化することがある。例えば、アセンブリとしての自動車のラジエータはラジエータコア、クーリングファン、モータ、シュラウド、キャップ等の部品から構成されており、ラジエータの設計を行うユーザーは前記各部品の全てを組み立てたアセンブリの三次元図面を作成する必用があり、また冷却水注入ノズルからラジエータコアへの冷却水の注入作業をシミュレートするユーザーは、前記各部品から冷却水注入口のキャップを取り除いたアセンブリの三次元図面を作成する必用がある。
【０００６】
このように、ユーザーに応じて構成部品が異なるアセンブリの三次元図面が必用になるが、従来は各ユーザーがそれぞれ標準部品ライブラリから必用な部品の三次元図面を収集して図面変換手段でアセンブリの三次元に変換していた。そのために、各ユーザー毎に部品の図面からアセンブリの図面への変換手段が必用になり、アセンブリの三次元図面を作成するコストが嵩む問題があった。
【０００７】
本発明は前述の事情に鑑みてなされたもので、構成部品が異なる種々のアセンブリ図面を低コストで作成することを目的とする。
【０００８】
【課題を解決するための手段】
上記目的を達成するために、請求項１に記載された発明によれば、各々の部品の部品番号を記憶した部品番号記憶手段と、部品番号記憶手段に記憶された部品番号に対応する部品の基本図面を記憶した基本図面記憶手段と、アセンブリを構成する部品の部品番号を入力するアセンブリ構成情報入力手段と、アセンブリ構成情報入力手段から入力された部品の部品番号を記憶するアセンブリ構成情報記憶手段と、アセンブリ構成情報記憶手段に記憶された部品の部品番号に対応する基本図面を基本図面記憶手段から取得する基本図面取得手段と、基本図面取得手段で取得した基本図面をアセンブリ図面に変換するアセンブリ図面変換手段と、アセンブリ図面変換手段により変換されたアセンブリ図面を記憶するアセンブリ図面記憶手段と、アセンブリ図面記憶手段に記憶されたアセンブリ図面を出力する出力手段とを備えたことを特徴とする図面管理システムが提案される。
【０００９】
上記構成によれば、部品番号記憶手段に記憶された各々の部品の部品番号に対応する部品の基本図面を予め基本図面記憶手段に記憶しておき、アセンブリを構成する部品の部品番号をアセンブリ構成情報入力手段から入力してアセンブリ構成情報記憶手段に記憶し、アセンブリ構成情報記憶手段に記憶された部品の部品番号に対応する基本図面を基本図面取得手段が基本図面記憶手段から取得すると、アセンブリ図面変換手段が前記基本図面をアセンブリ図面に変換し、そのアセンブリ図面をアセンブリ図面記憶手段に記憶して出力手段に出力するので、各現場はアセンブリを構成する部品の部品番号を入力するだけで、必用とするアセンブリ図面を得ることができる。しかも多数の現場が同じ基本図面記憶手段、アセンブリ図面変換手段、アセンブリ図面記憶手段等を共用するので、それらの手段を各現場に備える必要をなくしてアセンブリ図面を低コストで作成することができる。
【００１０】
また請求項２に記載された発明によれば、請求項１の構成に加えて、アセンブリ構成情報入力手段は、アセンブリを構成する部品の部品番号を部門情報あるいは工程情報に基づいて入力することを特徴とする図面管理システムが提案される。
【００１１】
上記構成によれば、アセンブリを構成する部品の部品番号を部門情報あるいは工程情報に基づいて入力するので、その部門や工程で使用するアセンブリ図面を作成するのに必要な基本図面を的確に指定することができる。
【００１２】
また請求項３に記載された発明によれば、請求項１または請求項２の構成に加えて、基本図面の変更情報を記憶する変更情報記憶手段と、変更情報記憶手段に記憶された基本図面の変更情報に基づいて、基本図面取得手段が基本図面記憶手段から取得する基本図面の差し替えの要否を判断する差し替え要否判断手段とを備えたことを特徴とする図面管理システムが提案される。
【００１３】
上記構成によれば、変更情報記憶手段に記憶された基本図面の変更情報に基づき、差し替え要否判断手段が、基本図面取得手段が基本図面記憶手段から取得する基本図面の差し替えの要否を判断するので、設計変更により基本図面が変更された場合に、その変更をアセンブリ図面に自動的に反映することが可能となり、設計変更前の古い基本図面を用いたアセンブリ図面が作成される不都合を回避することができる。
【００１４】
また請求項４に記載された発明によれば、請求項３の構成に加えて、アセンブリを構成する部品に対応する図面差し替え要件を入力する図面差し替え要件入力手段と、図面差し替え要件入力手段から入力された図面差し替え要件を記憶する図面差し替え要件記憶手段とを備え、前記差し替え要否判断手段は、図面差し替え要件記憶手段に記憶された図面差し替え要件と、変更情報記憶手段に記憶された基本図面の変更情報とを比較することで、基本図面取得手段が基本図面記憶手段から取得する基本図面の差し替えの要否を判断することを特徴とする図面管理システムが提案される。
【００１５】
上記構成によれば、図面差し替え要件入力手段から入力された各部品の図面差し替え要件を図面差し替え要件記憶手段に記憶し、その図面差し替え要件を変更情報記憶手段に記憶された基本図面の変更情報と比較することで、差し替え要否判断手段が基本図面の差し替えの要否を判断するので、基本図面が変更される度に基本図面を差し替える必要をなくし、図面差し替え要件に合致する基本図面の変更があった場合にのみ差し替えを行うようにし、不要なアセンブリ図面の変換が行われるのを防止することができる。
【００１６】
また請求項５に記載された発明によれば、請求項４の構成に加えて、図面差し替え要件は、部品の形状、材料および重量の少なくとも一つであることを特徴とする図面管理システムが提案される。
【００１７】
上記構成によれば、部品の形状を図面差し替え要件とすることで、組付工程のような部品の形状を問題とする工程に対応することができ、部品の材料を図面差し替え要件とすることで、耐熱検査工程のような部品の材料を問題とする工程に対応することができ、部品の重量を図面差し替え要件とすることで、積込み工程のような部品の重量を問題とする工程に対応することができる。
【００１８】
【発明の実施の形態】
以下、本発明の実施の形態を、添付図面に示した本発明の実施例に基づいて説明する。
【００１９】
図１〜図６は本発明の実施例を示すもので、図１は図面管理システムのブロック図、図２は部門情報記憶手段および工程情報記憶手段の記憶情報を示す図、図３はアセンブリ構成情報入力手段および図面差し替え要件入力手段の画面を示す図、図４は第１実施例の作用を説明するフローチャート、図５は第２実施例の作用を説明するフローチャート、図６は第３実施例の作用を説明するフローチャートである。
【００２０】
図１に示すように、自動車の部品を設計する開発者の複数の端末１１…が設計支援装置（三次元ＣＡＤ装置）１２に接続されており、部品番号記憶手段１３に記憶された部品番号に対応する部品の三次元基本図面が、設計支援装置１２で作成されて基本図面記憶手段１４に記憶される。尚、部品の基本図面には、その形状に加えて材料や重量等の情報も付随している。
【００２１】
【表１】
2004302568.tif 000003
【００２２】
表１には、部品番号記憶手段１３の記憶情報の一例として、自動車のラジエータを構成する各部品の部品名と、それに対応する部品番号とが示される。
【００２３】
一方、ユーザーの端末１５にはアセンブリ構成情報入力手段１６と、図面差し替え要件入力手段１７と、出力手段１８とが設けられる。アセンブリ構成情報入力手段１６には部品番号記憶手段１３と、部門情報記憶手段１９と、工程情報記憶手段２０とが接続される。部門情報記憶手段１９および工程情報記憶手段２０には、そのユーザーの端末１５が出力すべきアセンブリ図面が関連する部門や工程が記憶される。
【００２４】
図２は自動車の工場に対応する部門情報記憶手段１９および工程情報記憶手段２０の記憶情報の一例を示すものであり、工場、ライン、部門、工程、組付単位（アセンブリあるいは部品単品）、部品名および部品番号が階層的に記憶されている。
【００２５】
図３はアセンブリ構成情報入力手段１６および図面差し替え要件入力手段１７の画面を示すもので、部門情報記憶手段１９および工程情報記憶手段２０の記憶情報から工場として「鈴鹿」を指定し、ラインとして「完成車組立ライン」を指定し、部門として「ラジエータ組立」を指定し、工程としてラジエータコアアセンブリにクーリングファン単品およびモータ単品を組み付ける「ファン・モータ組付」を指定すると、そのファン・モータ組付工程に関連する部品名および対応する部品番号が自動的に入力される。即ち、ファン・モータ組付工程において組み付ける各部品の形状や寸法が適切であって組付作業を支障なく行えるか否かをユーザーの端末１５でシミュレートするには、３つの組付単位の図面、つまりラジエータコアアセンブリの図面と、クーリングファン単品の図面と、モータ単品の図面とが必用になり、それら３つの組付単位の図面を作成するのに必用な部品名と、それに対応する部品番号とが自動的に選択されて入力される。
【００２６】
尚、組付単位には複数の部品から構成されるアセンブリ以外に部品単品（クーリングファン単品やモータ単品）が含まれる場合があるが、以下、部品単品をも含めてアセンブリという。
【００２７】
そしてアセンブリ構成情報入力手段１６から入力された部品名と、その部品番号とはアセンブリ構成情報記憶手段２１に記憶される。
【００２８】
更に、図面差し替え要件入力手段１７からは、アセンブリ構成情報入力手段１６で選択された各部品に対応する図面差し替え要件が自動的に入力され、その図面差し替え要件は図面差し替え要件記憶手段２２に記憶される。図面差し替え要件とは、例えば部品の形状、材料、重量の少なくとも１つである。開発者側で行った部品の設計変更が形状の変更であり、図面差し替え要件として形状が指定された場合には、その部品の変更図面を使用してアセンブリ図面を再作成する必要がある。一方、開発者側で行った部品の設計変更が形状の変更であり、図面差し替え要件として材料や重量が指定された場合には、その部品の変更図面を使用してアセンブリ図面を再作成する必要はなく、設計変更前のアセンブリ図面をそのまま使用すれば良い。
【００２９】
図面差し替え要件入力手段１７の画面は、図３に示したアセンブリ構成情報入力手段１６の画面に含まれている。図３の例はファン・モータ組付工程に対応するもので、ラジエータコアアセンブリ、クーリングファン単品およびモータ単品の組付をシミュレートするためのものであるため、部品の材料や重量が設計変更になっても部品の基本図面を差し替えて新たなアセンブリ部を作成する必要がないため、「材料」および「重量」の要件は×（図面差し替え不要）が入力される。しかしながら、部品の形状が設計変更になると組付作業を支障なく行えるか否かに直接影響するため、「形状」の要件は○（図面差し替え必要）が入力される。
【００３０】
それ以外に、耐熱検査工程では部品の耐熱性が該部品の材料によって影響を受けるため、その部品は「材料」の要件が○（図面差し替え必要）になる。また積込工程では部品を持ち上げるのに必要な力が該部品の重量によって影響を受けるため、その部品は「重量」の要件が○（図面差し替え必要）になる。
【００３１】
【表２】
2004302568.tif 000004
【００３２】
表２には部品の「形状」、「材料」、「重量」の要件が、どのような部門に関連するかが示される。要件として部品の「形状」が指定されている場合には、組立部門、溶接部門および品質管理部門で前記部品を用いたアセンブリ図面を作成する際に、形状を設計変更した後の部品の基本図面を使用する必要がある。要件として部品の「材料」が指定されている場合には、資材／購買部門、溶接部門および品質管理部門で前記部品を用いたアセンブリ図面を作成する際に、材料を設計変更した後の部品の基本図面を使用する必要がある。要件として部品の「重量」が指定されている場合には、資材／購買部門および品質管理部門で前記部品を用いたアセンブリ図面を作成する際に、重量を設計変更した後の部品の基本図面を使用する必要がある。
【００３３】
尚、上記図面差し替え要件入力手段１７および図面差し替え要件記憶手段２２は、図６のフローチャートに基づいて後から説明する第３実施例でのみ使用される。
【００３４】
図１に戻り、図面管理手段２３には設計支援装置１２、基本図面記憶手段１４、基本図面取得手段２４および変更情報管理手段２５が接続され、変更情報管理手段２５には変更情報記憶手段２６が接続される。設計支援装置１２で設計した部品に設計変更があると、設計変更後の部品の基本図面（変更図面）が基本図面記憶手段１４に記憶されるとともに、設計変更後の部品の部品名、部品番号、設計変更の内容（形状、材料あるいは重量）の情報が、図面管理手段２３および変更情報管理手段２５を介して変更情報記憶手段２６に記憶される。
【００３５】
基本図面取得手段２４には差し替え要否判断手段２７、アセンブリ図面変換手段２８およびアセンブリ図面記憶手段２９が接続され、差し替え要否判断手段２７はアセンブリ構成情報記憶手段２１に接続されるとともに、アセンブリ図面記憶手段２９は出力手段１８に接続される。
【００３６】
次に、部品の基本図面からアセンブリ図面への変換作業の第１実施例を、図４のフローチャートに基づいて説明する。
【００３７】
第１実施例は部品の設計変更が行われなかった場合に対応しており、先ずステップＳ１１で、部品番号記憶手段１３に記憶された部品番号を基本図面取得手段２４に読み込み、続くステップＳ１２で、アセンブリ構成情報記憶手段２１に記憶されたアセンブリ情報を基本図面取得手段２４に読み込み、部品番号記憶手段１３から読み込んだ部品番号がアセンブリ情報に含まれているか否か、つまり前記部品がアセンブリを構成するのに必要な部品であるか否かを判断する。
【００３８】
その結果、前記部品がアセンブリを構成するのに必要な部品でなければ、ステップＳ１３で図面の変換を実行せず、ステップＳ１４で変換を行わなかったことを変更情報記憶手段２６に記憶する。一方、前記ステップＳ１２で、前記部品がアセンブリを構成するのに必要な部品であれば、ステップＳ１５で、基本図面記憶手段１４から対応する部品の基本図面を基本図面取得手段２４に取り寄せ、アセンブリ図面変換手段２８においてアセンブリ図面に変換する。そして変換後のアセンブリ図面をアセンブリ図面記憶手段２９に記憶するとともに、図面の変換が完了したことをユーザーに通知する。その結果、ユーザーは完成したアセンブリ図面を端末１５の出力手段１８から出力してシミュレーション等の必要な作業に使用することができる。
【００３９】
このように、各々の部品番号に対応する部品の基本図面を予め基本図面記憶手段１４に記憶しておき、アセンブリ構成情報記憶手段２１に記憶されたアセンブリの構成部品に対応する部品の基本図面を基本図面取得手段２４が基本図面記憶手段１４から取得し、その取得した基本図面をアセンブリ図面変換手段２８においてアセンブリ図面に変換してアセンブリ図面記憶手段２９に記憶するので、各現場のユーザーはアセンブリを構成する複数の部品の部品番号をアセンブリ構成情報入力手段１６から入力するだけで、必用とするアセンブリ図面を得ることができる。
【００４０】
このとき、多数の現場のユーザーが同じ基本図面記憶手段１４、アセンブリ図面変換手段２８、アセンブリ図面記憶手段２９等を共用するので、それらの手段を各現場毎に設ける場合に比べて、アセンブリ図面を低コストで作成することができる。しかも、アセンブリ構成情報入力手段１６は、部門情報記憶手段１９や工程情報記憶手段２０の記憶情報に基づいてアセンブリを構成する複数の部品の部品番号を入力するので、その部門や工程で必用とするアセンブリを構成する各部品の基本図面を的確に指定することができる。
【００４１】
次に、部品の基本図面からアセンブリ図面への変換作業の第２実施例を、図５のフローチャートに基づいて説明する。
【００４２】
第２実施例は部品の設計変更が行われた場合に対応しており、先ずステップＳ２１で、変更情報記憶手段２６に記憶された設計変更後の部品の変更図面の図面番号を差し替え要否判断手段２７に読み込み、続くステップＳ２２で、アセンブリ構成情報記憶手段２１に記憶されたアセンブリ情報を差し替え要否判断手段２７に読み込み、変更情報記憶手段２６から読み込んだ変更図面の図面番号がアセンブリ情報に含まれているか否か、つまり設計変更された部品がアセンブリを構成するのに必要な部品であるか否かを判断する。
【００４３】
その結果、設計変更された部品がアセンブリを構成するのに必要な部品でなければ、ステップＳ２３で図面の変換を実行せず、ステップＳ２４で変換を行わなかったことを変更情報記憶手段２６に記憶する。一方、前記ステップＳ２２で、設計変更された部品がアセンブリを構成するのに必要な部品であれば、ステップＳ２５で、基本図面記憶手段１４から対応する変更図面を基本図面取得手段２４に取り寄せ、アセンブリ図面変換手段２８においてアセンブリ図面に変換する。そして変換後のアセンブリ図面をアセンブリ図面記憶手段２９に記憶するとともに、図面の変換が完了したことをユーザーに通知する。その結果、ユーザーは部品の設計変更を反映したアセンブリ図面を端末１５の出力手段１８から出力して必要な作業に使用することができる。
【００４４】
以上のように、変更情報記憶手段２６に記憶された変更情報に基づいて差し替え要否判断手段２７が図面の差し替えの要否を判断するので、設計変更により基本図面が変更された場合に、その変更をアセンブリ図面に自動的に反映することができる。その結果、設計変更前の古い基本図面を用いたアセンブリ図面がユーザーに届けられる不都合を未然に回避することができる。
【００４５】
ところで、上記第２実施例は、図面差し替え要件入力手段１７および図面差し替え要件記憶手段２２を用いていないため、アセンブリを構成する部品の設計変更が行われる度に、その設計変更が形状、材料、重量の何れの設計変更であっても一律に図面の差し替えが行われてしまい、不要な図面変換が行われてしまう無駄がある。
【００４６】
次に、上記第２実施例の上記不具合を改善した第３実施例を、図６のフローチャートに基づいて説明する。
【００４７】
先ずステップＳ３１で、変更情報記憶手段２６に記憶された設計変更後の部品の変更図面の図面番号および変更個所（即ち、形状、材質、重量）を差し替え要否判断手段２７に読み込み、続くステップＳ３２で、アセンブリ構成情報記憶手段２１に記憶されたアセンブリ情報を差し替え要否判断手段２７に読み込むとともに、図面差し替え要件記憶手段２２に記憶された要件（即ち、形状、材質、重量）を差し替え要否判断手段２７に読み込む。そして変更情報記憶手段２６から読み込んだ変更図面の図面番号がアセンブリを構成するのに必要な部品である場合に、その部品の要件と変更図面の変更個所とを比較する。
【００４８】
その比較の結果、例えば、部品の要件が形状であり、変更図面の変更個所が材料あるいは重量であって両者が不一致であれば、ステップＳ３３で図面の変換を実行せず、ステップＳ３４で変換を行わなかったことを変更情報記憶手段２６に記憶する。一方、前記ステップＳ３２で、例えば、部品の要件が形状であり、変更図面の変更個所が同じく形状であって両者が一致すれば、ステップＳ３５で、基本図面記憶手段１４から対応する変更図面を基本図面取得手段２４に取り寄せ、アセンブリ図面変換手段２８においてアセンブリ図面に変換する。そして変換後のアセンブリ図面をアセンブリ図面記憶手段２９に記憶するとともに、図面の変換が完了したことをユーザーに通知する。その結果、ユーザーは部品の設計変更を反映したアセンブリ図面を端末１５の出力手段１８から出力して必要な作業に使用することができる。
【００４９】
以上のように、図面差し替え要件入力手段１７から入力された各部品の図面差し替え要件を図面差し替え要件記憶手段２２に記憶し、その図面差し替え要件を変更情報記憶手段２６に記憶された基本図面の変更情報と比較することで、基本図面取得手段２４が変更図面の差し替えの要否を判断するので、基本図面が変更される度に一律に変更図面を差し替える必要をなくし、図面差し替え要件に合致する基本図面の変更があった場合にのみ差し替えを行うようにし、不要なアセンブリ図面の変換が行われるのを防止してコンピュータ資源を有効利用することができる。
【００５０】
以上、本発明の実施例を説明したが、本発明はその要旨を逸脱しない範囲で種々の設計変更を行うことが可能である。
【００５１】
例えば、実施例ではファン・モータ組付工程の組付シミュレーションを行うためのアセンブリ図面の作成を例示したが、本発明は他の任意の用途のアセンブリ図面の作成に適用することができる。
【００５２】
【発明の効果】
以上のように請求項１に記載された発明によれば、部品番号記憶手段に記憶された各々の部品の部品番号に対応する部品の基本図面を予め基本図面記憶手段に記憶しておき、アセンブリを構成する部品の部品番号をアセンブリ構成情報入力手段から入力してアセンブリ構成情報記憶手段に記憶し、アセンブリ構成情報記憶手段に記憶された部品の部品番号に対応する基本図面を基本図面取得手段が基本図面記憶手段から取得すると、アセンブリ図面変換手段が前記基本図面をアセンブリ図面に変換し、そのアセンブリ図面をアセンブリ図面記憶手段に記憶して出力手段に出力するので、各現場はアセンブリを構成する部品の部品番号を入力するだけで、必用とするアセンブリ図面を得ることができる。しかも多数の現場が同じ基本図面記憶手段、アセンブリ図面変換手段、アセンブリ図面記憶手段等を共用するので、それらの手段を各現場に備える必要をなくしてアセンブリ図面を低コストで作成することができる。
【００５３】
また請求項２に記載された発明によれば、アセンブリを構成する部品の部品番号を部門情報あるいは工程情報に基づいて入力するので、その部門や工程で使用するアセンブリ図面を作成するのに必要な基本図面を的確に指定することができる。
【００５４】
また請求項３に記載された発明によれば、変更情報記憶手段に記憶された基本図面の変更情報に基づき、差し替え要否判断手段が、基本図面取得手段が基本図面記憶手段から取得する基本図面の差し替えの要否を判断するので、設計変更により基本図面が変更された場合に、その変更をアセンブリ図面に自動的に反映することが可能となり、設計変更前の古い基本図面を用いたアセンブリ図面が作成される不都合を回避することができる。
【００５５】
また請求項４に記載された発明によれば、図面差し替え要件入力手段から入力された各部品の図面差し替え要件を図面差し替え要件記憶手段に記憶し、その図面差し替え要件を変更情報記憶手段に記憶された基本図面の変更情報と比較することで、差し替え要否判断手段が基本図面の差し替えの要否を判断するので、基本図面が変更される度に基本図面を差し替える必要をなくし、図面差し替え要件に合致する基本図面の変更があった場合にのみ差し替えを行うようにし、不要なアセンブリ図面の変換が行われるのを防止することができる。
【００５６】
また請求項５に記載された発明によれば、部品の形状を図面差し替え要件とすることで、組付工程のような部品の形状を問題とする工程に対応することができ、部品の材料を図面差し替え要件とすることで、耐熱検査工程のような部品の材料を問題とする工程に対応することができ、部品の重量を図面差し替え要件とすることで、積込み工程のような部品の重量を問題とする工程に対応することができる。
【図面の簡単な説明】
【図１】図面管理システムのブロック図
【図２】部門情報記憶手段および工程情報記憶手段の記憶情報を示す図
【図３】アセンブリ構成情報入力手段および図面差し替え要件入力手段の画面を示す図
【図４】第１実施例の作用を説明するフローチャート
【図５】第２実施例の作用を説明するフローチャート
【図６】第３実施例の作用を説明するフローチャート
【符号の説明】
１３        部品番号記憶手段
１４        基本図面記憶手段
１６        アセンブリ構成情報入力手段
１７        図面差し替え要件入力手段
１８        出力手段
２１        アセンブリ構成情報記憶手段
２２        図面差し替え要件記憶手段
２４        基本図面取得手段
２６        変更情報記憶手段
２７        差し替え要否判断手段
２８        アセンブリ図面変換手段
２９        アセンブリ図面記憶手段
【図１】
2004302568.tif 000005
【図２】
2004302568.tif 000006
【図３】
2004302568.tif 000007
【図４】
2004302568.tif 000008
【図５】
2004302568.tif 000009
【図６】
2004302568.tif 000010